(57)【要約】【課題】接続端子の半田付け不良を解消しながら、半田付け不良による無駄を極減する。【解決手段】フローティング構造のコネクタは、携帯電気機器３０に接続される嵌合連結部５をフローティング機構１０でベース台３に連結するためのフローティングホルダ４を備える。フローティングホルダ４は、嵌合連結部５を設けているコネクタ本体２と別のパーツとしてプラスチックで成形している。フローティングホルダ４は、コネクタ本体２の連結台８を両側から挟着して支持する第１ホルダ４Ａ及び第２ホルダ４Ｂを備える。第１ホルダ４Ａと第２ホルダ４Ｂは、係止フック１８、１９を備え、直接にあるいはコネクタ本体２を介して互いに連結される。さらに、第１ホルダ４Ａと第２ホルダ４Ｂは、コネクタ本体２の連結台８を支持する支持部１６、２２を一体的に成形している。【選択図】図３
2006054105.tif 000002
【特許請求の範囲】
【請求項１】
下部に設けている半田付け用の複数の接続端子(6)と、この接続端子(6)に連結されて携帯電気機器(30)に接続される接点(7)を設けている携帯電気機器(30)の嵌合連結部(5)と、嵌合連結部(5)をフローティング機構(10)でベース台(3)に連結するためのフローティングホルダ(4)とを備えるコネクタにおいて、
接続端子(6)と嵌合連結部(5)をコネクタ本体(2)に設けると共に、このコネクタ本体(2)から分離して、コネクタ本体(2)と別のパーツとしてフローティングホルダ(4)をプラスチックで成形して製作しており、
コネクタ本体(2)は、フローティングホルダ(4)を連結する連結台(8)を下部に設けて、フローティングホルダ(4)は、コネクタ本体(2)の連結台(8)を両側から挟着して支持する第１ホルダ(4A)及び第２ホルダ(4B)を備え、第１ホルダ(4A)と第２ホルダ(4B)は、コネクタ本体(2)の連結台(8)を挟着する状態で、直接にあるいはコネクタ本体(2)を介して互いに連結される係止フック(18)、(19)を一体的に成形して設けており、
さらに、第１ホルダ(4A)と第２ホルダ(4B)は、コネクタ本体(2)の連結台(8)を挟着して連結される状態で、コネクタ本体(2)の連結台(8)を支持する支持部(16)、(22)を一体的に成形して設けており、
コネクタ本体(2)を、フローティングホルダ(4)の第１ホルダ(4A)と第２ホルダ(4B)で挟着して、フローティングホルダ(4)をフローティング機構(10)でベース台(3)に連結するようにしてなることを特徴とするフローティング構造のコネクタ。
【請求項２】
フローティングホルダ(4)の第１ホルダ(4A)と第２ホルダ(4B)のいずれか又は両方に、フローティング構造でベース台(3)に連結する連結穴(11)を設けている請求項１に記載されるフローティング構造のコネクタ。
【請求項３】
接続端子(6)が、回路基板(14)に半田付けして連結する端子である請求項１に記載されるフローティング構造のコネクタ。
【請求項４】
コネクタ本体(2)の嵌合連結部(5)の外形が平面形状を長方形とする四角柱状で、第１ホルダ(4A)の係止フック(18)が長方形の短辺を両側で挟着して、嵌合連結部(5)を係止する請求項１に記載されるフローティング構造のコネクタ。
【請求項５】
第２ホルダ(4B)の係止フック(19)が、第１ホルダ(4A)に係止されて、第２ホルダ(4B)を第１ホルダ(4A)に連結する請求項１に記載されるフローティング構造のコネクタ。
【発明の詳細な説明】
【技術分野】
【０００１】
本発明は、主として、携帯電話やデジタルカメラ等の携帯電気機器に接続されるコネクタに関し、とくに携帯電気機器を連結する状態で、所定の範囲で自由に可動なフローティング機構のコネクタに関する。
【背景技術】
【０００２】
図１は、フローティング構造のコネクタ４１に携帯電気機器３０を連結する状態を示す概略図である。コネクタ４１は、コネクタ本体４０と一体に設けられ、下部に設けているフローティング台４２の貫通孔４３に、変形できるゴム状弾性体の弾性リング４４を入れ、この弾性リング４４に挿通している止ネジ４５でベース台４６に連結している。この構造のコネクタ４１は、弾性リング４４を変形させて、可動できる構造でベース台４６に固定される。フローティング構造のコネクタは、フレキシブル基板４７を介してプリント基板４８に接続される。フレキシブル基板４７は、コネクタ４１を可動できる状態でプリント基板４８に接続する。フレキシブル基板４７を接続するために、コネクタ４１の下端に回路基板４９を半田付けして固定している。この回路基板にフレキシブル基板を接続している。
【０００３】
図１に示すコネクタは、携帯電気機器の連結部に確実に接続して、接触不良を少なくできる特徴がある。それは、コネクタが携帯電気機器の連結部に確実に接続される位置に移動して連結されるからである。とくに、図に示すように、ケースに設けた凹部の、あるいはケースの上の装着部に載せて携帯電気機器をセットして、この携帯電気機器にコネクタを接続する構造においては、携帯電気機器とコネクタの相対位置がずれることがある。両者の相対位置がずれると、コネクタの正確な位置に携帯電気機器の連結部が挿通できなくなる。このため、コネクタと連結部の全ての接点を確実に接触不良なく接続するのが難しくなる。とくに、コネクタが電源のみでなく多数の通信路を接続する構造においては、全ての接点を確実に接続するのが難しくなる。フローティング構造のコネクタは、コネクタと携帯電気機器の連結部の相対位置を最適位置に移動して、この欠点を解消できる。
【０００４】
以上のようにしてフローティング構造でベース台に連結できるコネクタは開発されている（特許文献１参照）。
【特許文献１】特開平８−３１５１０号公報
【発明の開示】
【発明が解決しようとする課題】
【０００５】
この公報に記載されるコネクタは、図２に示すように、嵌合連結部の下部にフローティングスプリングを連結するフローティング台を設けている。この構造のコネクタ５１は、嵌合連結部５２とフローティング台５３とを一体構造として設けている。しかしながら、この構造のコネクタ５１は、図１に示すように、下端に回路基板５４を接続すると、フローティング構造で連結するために設けているフローティング台５３が邪魔になる欠点がある。また、半田付け不良の点検や補修にもフローティング台が邪魔になる。このため、接続端子に回路基板が正常に半田付けできない場合、コネクタと回路基板の両方を一緒に廃棄するので歩留が悪くなる欠点があった。
【０００６】
本発明は、このような欠点を解決することを目的に開発されたものである。本発明の重要な目的は、接続端子の半田付け不良を解消しながら、半田付け不良による無駄を極減できるフローティング構造のコネクタを提供することにある。
また、本発明の他の大切な目的は、嵌合連結部を設けているコネクタ本体とフローティング台とを、簡単かつ容易に、しかもしっかりと連結できるフローティング構造のコネクタを提供することにある。
【課題を解決するための手段】
【０００７】
本発明のフローティング構造のコネクタは、下部に設けている半田付け用の複数の接続端子６と、この接続端子６に連結されて携帯電気機器３０に接続される接点７を設けている嵌合連結部５と、嵌合連結部５をフローティング機構１０でベース台３に連結するためのフローティングホルダ４とを備える。接続端子６と嵌合連結部５は、コネクタ本体２に設けている。フローティングホルダ４は、コネクタ本体２から分離して、コネクタ本体２と別のパーツとしてプラスチックで成形して製作している。コネクタ本体２は、フローティングホルダ４を連結する連結台８を下部に設けている。フローティングホルダ４は、コネクタ本体２の連結台８を両側から挟着して支持する第１ホルダ４Ａ及び第２ホルダ４Ｂを備える。第１ホルダ４Ａと第２ホルダ４Ｂは、コネクタ本体２の連結台８を挟着する状態で、直接にあるいはコネクタ本体２を介して互いに連結される係止フック１８、１９を一体的に成形して設けている。さらに、第１ホルダ４Ａと第２ホルダ４Ｂは、コネクタ本体２の連結台８を挟着して連結される状態で、コネクタ本体２の連結台８を支持する支持部１６、２２を一体的に成形して設けている。コネクタは、コネクタ本体２をフローティングホルダ４の第１ホルダ４Ａと第２ホルダ４Ｂで挟着して、フローティングホルダ４をフローティング機構１０でベース台３に連結する。
【０００８】
本発明のコネクタは、フローティングホルダ４の第１ホルダ４Ａと第２ホルダ４Ｂのいずれか又は両方に、フローティング構造でベース台３に連結する連結穴１１を設けることができる。
【０００９】
本発明のコネクタは、接続端子６を、回路基板１４に半田付けして連結する端子とすることができる。
【００１０】
本発明のコネクタは、コネクタ本体２の嵌合連結部５外形を、平面形状を長方形とする四角柱状として、第１ホルダ４Ａの係止フック１８で長方形の短辺を両側で挟着して、嵌合連結部５を係止することができる。
【００１１】
さらに、本発明のコネクタは、第２ホルダ４Ｂの係止フック１９を、第１ホルダ４Ａに係止して、第２ホルダ４Ｂを第１ホルダ４Ａに連結することができる。
【発明の効果】
【００１２】
本発明のフローティング構造のコネクタは、接続端子の半田付け不良を解消しながら、半田付け不良による無駄を極減できる特長がある。それは、本発明のコネクタが、携帯電気機器に連結される嵌合連結部を備えるコネクタ本体と、嵌合連結部をフローティング機構でベース台に連結するためのフローティングホルダとを備えており、このフローティングホルダをコネクタ本体と別のパーツとして、コネクタ本体から分離できるようにしているからである。フローティングホルダは、コネクタ本体の連結台を両側から挟着して支持する第１ホルダと第２ホルダを備え、この第１ホルダと第２ホルダとに係止フックを設けて、直接にあるいはコネクタ本体を介して、第１ホルダと第２ホルダとを互いに連結する構造としている。このため、嵌合連結部を設けているコネクタ本体とフローティングホルダとを、簡単かつ容易に、しかもしっかりと連結しながら、フローティングホルダをフローティング機構でベース台に連結できる。以上の構造のコネクタは、コネクタ本体の接続端子を回路基板に半田付けするときに、フローティングホルダが邪魔になる弊害を解消できるので、接続端子の半田付け不良による無駄を極減しながら、極めて能率良く接続端子を回路基板に正常に半田付けできる。
また、フローティングホルダをコネクタ本体と別のパーツとしているので、コネクタ本体を共通として、フローティングホルダを、種々のベース台に対応した構造とすることができるので、コネクタ本体とフローティングホルダを一体化した構造よりも汎用性がある。
【発明を実施するための最良の形態】
【００１３】
以下、本発明の実施例を図面に基づいて説明する。ただし、以下に示す実施例は、本発明の技術思想を具体化するためのコネクタを例示するものであって、本発明はコネクタを以下の構造に特定しない。
【００１４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１５】
図３は、フローティング構造のコネクタを備える携帯電気機器の電源供給台２９を示す。携帯電気機器３０は、この電源供給台２９の上に連結される。連結された携帯電気機器３０は、下面に設けている連結部３１を電源供給台２９のコネクタ１に接続する。電源供給台２９は、コネクタ１と連結部３１を介して携帯電気機器３０に電力を供給する。携帯電気機器３０に供給される電力は、携帯電気機器３０を動作させる電源電力を供給し、また携帯電気機器３０に内蔵している二次電池を充電する。電源供給台２９は、コネクタ１と連結部３１に設けている複数の接点７を介して携帯電気機器３０に接続され、携帯電気機器３０から情報を授受すると共に、動作、充電のための電力を供給する。
【００１６】
この図の電源供給台２９は、ベース台３にフローティング機構１０でコネクタ１を連結している。フローティング機構１０は、コネクタ１の連結穴１１に入れているゴム状弾性体の弾性リング１２で、コネクタ１を移動できるようにベース台３に連結する。弾性リング１２は、両端に鍔を有する筒状で、連結穴１１に抜けないように挿通されている。弾性リング１２に挿通される止ネジ１３がコネクタ１をベース台３に連結している。
【００１７】
図３のコネクタ１を図４ないし図７に示す。これ等の図に示すコネクタ１は、半田付け用の複数の接続端子６を下端に設けており、この接続端子６に連結されて携帯電気機器３０に接続される接点７を嵌合連結部５に設けている。この嵌合連結部５をフローティング機構１０でベース台３に連結するために、フローティングホルダ４を設けている。
【００１８】
コネクタ１は、接続端子６と嵌合連結部５をコネクタ本体２に設けている。このコネクタ本体２から分離して、コネクタ本体２と別のパーツとしてフローティングホルダ４をプラスチックで成形して製作している。
【００１９】
コネクタ本体２は、嵌合連結部５と連結台８をプラスチックで一体的に成形している。図のコネクタ本体２は、嵌合連結部５の周囲に密着して金属筒９を固定している。金属筒９は、嵌合連結部５を補強して、携帯電気機器３０を連結する状態で、あるいは携帯電気機器３０を連結しない状態において、嵌合連結部５の変形や歪を防止できる。ただし、嵌合連結部は、必ずしも金属筒で補強する必要はない。
【００２０】
図のコネクタ本体２の嵌合連結部５は、平面形状を長方形とする角筒状に成形されて、内側の中空部に複数の接点７を設けている。接点７は、金属線を上下方向を向く姿勢として所定の間隔で固定している。接点７は、嵌合連結部５に連結される携帯電気機器３０の連結部３１の接点に接続される。接点７は、携帯電気機器３０に電力を供給するための電源接点と、携帯電気機器３０との間で情報を授受する通信接点とからなる。
【００２１】
嵌合連結部５の接点７は、コネクタ本体２の内部で、下端に固定している接続端子６に接続している。接続端子６は、回路基板１４に半田付けして接続される半田付けように端子である。長方形の嵌合連結部５は、下端の両側に、所定の間隔で複数の接続端子６を設けている。この接続端子６が回路基板１４に半田付けして連結されて、コネクタ本体２は回路基板１４に電気的に接続され、また物理的に連結される。
【００２２】
コネクタ本体２は、下部に連結台８を設けている。連結台８は、嵌合連結部５よりも外形を大きくして、嵌合連結部５の下部に鍔状に設けられている。連結台８は、フローティングホルダ４に連結される。図３と図６に示す連結台８は、外周に突出する支持リブ１５を一体的に成形して設けている。支持リブ１５は、フローティングホルダ４に設けている支持部１６で下から支持される。支持リブ１５の下に支持部１６を案内するために、支持リブ１５の下方には、支持部１６を案内するスペースを設けている（図３参照）。図の連結台８は、底面から上にずれた位置に支持リブ１５を配置して、支持リブ１５の下方にスペースを設けている。図５に示す連結台８は、四角形の短辺側に沿って支持リブ１５を設けている。さらに、この支持リブ１５は、四角形の短辺から長辺の端部にも設けている。図３、図５および図６に示す支持リブ１５は、外周縁を上方に折曲して折曲片１５Ａを設けている。この支持リブ１５は、図３の断面図に示すように、フローティングホルダ４に一体的に成形して設けているフック凸条１７で折曲片１５Ａを係止して連結できる。フック凸条１７は、支持リブ１５の折曲片１５Ａを係止するために、その先端方向の先端縁に下向きの折曲片を設けている。この構造の支持リブ１５は、係止構造として、フローティングホルダ４に確実に連結できる。
コネクタ本体２、フローティングホルダ４は、左右対称構造（ここでは、図３の左右方向）であるので、実施例の説明、図では一方しか開示がなくても、左右対称である他方は対称構造であり、開示が省略されている。
【００２３】
フローティングホルダ４は、コネクタ本体２の連結台８を両側から挟着して支持する第１ホルダ４Ａ及び第２ホルダ４Ｂを備える。第１ホルダ４Ａと第２ホルダ４Ｂは、コネクタ本体２の連結台８を挟着して、係止フック１８、１９で互いに連結される。係止フック１８、１９は、プラスチック製の第１ホルダ４Ａと第２ホルダ４Ｂに一体的に成形して設けられている。図のコネクタ１は、第１ホルダ４Ａの係止フック１８をコネクタ本体２の嵌合連結部５に引っかけて係止し、第２ホルダ４Ｂの係止フック１９を第１ホルダ４Ａに引っかけて係止している。したがって、第１ホルダ４Ａと第２ホルダ４Ｂは、係止フック１８、１９を介して連結され、さらに係止フック１８、１９を介してコネクタ本体２に連結される。ただし、本発明のコネクタは、第１ホルダと第２ホルダの両方の係止フックをコネクタ本体に係止し、コネクタ本体を介して互いに連結することもできる。また、第１ホルダの係止フックを第２ホルダに、第２ホルダの係止フックをコネクタ本体又は第１ホルダに連結することもできる。係止フック１８、１９を介して互いに連結される第１ホルダ４Ａと第２ホルダ４Ｂは、コネクタ本体２の連結台８を両側から挟着してこれを保持する状態で連結する。第１ホルダ４Ａと第２ホルダ４Ｂは、長方形の嵌合連結部５を挟着して互いに連結される。長方形の嵌合連結部５は、図７において、長辺側の対向する面を第１面５Ａと第３面５Ｃとし、短辺側の対向する面を第２面５Ｂと第４面５Ｄとしている。図のフローティングホルダ４は、長方形の長辺側の面である第１面５Ａと第３面５Ｃを第１ホルダ４Ａと第２ホルダ４Ｂで挟着する構造としている。
【００２４】
図４と図５に示す第１ホルダ４Ａは、コネクタ本体２を入れる凹部２３を設けて、凹部２３の両側に一対の係止フック１８を設けている。この係止フック１８は、平面形状を長方形とする嵌合連結部５の短辺である第２面５Ｂと第４面５Ｄを挟着して、先端を嵌合連結部５に係止している。係止フック１８は、嵌合連結部５の第２面５Ｂと第４面５Ｄに沿って、第１面５Ａから第３面５Ｃに向かって突出して、先端を内側の対向面に突出させて、第３面５Ｃを引っかけて嵌合連結部５に係止している。第１ホルダ４Ａは、係止フック１８の外側に、第２ホルダ４Ｂの係止フック１９を案内するガイドスペース２０を設けている。ガイドスペース２０は、第２ホルダ４Ｂの係止フック１９を係止するガイドリブ２１を一体的に成形して設けている。
【００２５】
第２ホルダ４Ｂの係止フック１９は、第１ホルダ４Ａのガイドスペース２０に挿入される。この係止フック１９は、第１ホルダ４Ａのガイドスペース２０に設けているガイドリブ２１に係止されて、第２ホルダ４Ｂを第１ホルダ４Ａに連結する。第２ホルダ４Ｂの係止フック１９は、ガイドリブ２１の上面に位置して、その先端をガイドリブ２１の端部に係止している（図６参照）。第２ホルダ４Ｂの係止フック１９は、先端のフック部を下方に突出させて、ガイドリブ２１の端部に係止している。第２ホルダ４Ｂの係止フック１９の幅は、ガイドスペース２０の幅、すなわち、第１ホルダ４Ａの係止フック１８と凹部２３内面との隙間にほぼ等しく、ここに挿入されて、ガイドリブ２１に係止している。
【００２６】
第１ホルダ４Ａは、コネクタ本体２の連結台８を両側から挟着して、連結台８を支持する支持部１６を一体的に成形して設けている。図のコネクタ本体２は、連結台８に支持リブ１５を設けて、この支持リブ１５をその下に設けている支持部１６で支持している。図５のコネクタ本体２は、嵌合連結部５の第２面５Ｂと第４面５Ｄに支持リブ１５を設けている。各々の支持リブ１５は、第１面５Ａと第３面５Ｃの端部に延長している。第１ホルダ４Ａは、図３と図５に示すように、支持リブ１５の支持部１６を凹部２３の両側に設けている。この支持部１６は、凹部２３の内面に突出して、支持リブ１５の下方に配置される。第２ホルダ４Ｂは、図５と図８に示すように、両端部分に支持部２２を設けている。この支持部２２は、係止フック１９の下方で、支持リブ１５の下に配置している（図６参照）。また、第２ホルダ４Ｂは、上面に、平面視略矩形の上面部２７を備え、連結されている状態で、嵌合連結部５の第３面５Ｃに、上面部２７の先端側が当接している。
【００２７】
第１ホルダ４Ａは、フローティング機構１０でベース台３に連結するための連結穴１１を両端部に設けている。連結穴１１は、弾性リング１２を入れて、止ネジ１３でベース台３に連結される。この構造のフローティング機構１０は、弾性リング１２を変形させてコネクタ１を移動できるようにベース台３に連結する。ただし、本発明は、フローティング機構を、この図に示すゴム状弾性体の弾性リングを介してコネクタをベース台に連結する構造に特定しない。フローティング機構は、図示しないが、バネを介して、あるいは空気クッションを介して、あるいはまた、遊びができる状態でコネクタをベース台に連結する構造とすることができる。また、以上の実施例のコネクタ１は、第１ホルダ４Ａにフローティング構造でコネクタ１をベース台３に連結する連結穴１１を設けているが、この連結穴を第２ホルダに設けることもでき、また第１ホルダと第２ホルダの両方に連結穴を設けることもできる。
【００２８】
以上のコネクタ１は、以下のようにして組み立てられる。
(1)  フローティングホルダ４をコネクタ本体２から分離する状態で、コネクタ本体２の接続端子６に回路基板１４を半田付けして固定する。回路基板１４には、フレキシブル基板２５を連結するためのリード線用コネクタ２４を半田付けして固定している。
(2)  リード線用コネクタ２４に、フレキシブル基板２５の一端を連結し、フレキシブル基板２５の他端をベース台３に固定しているプリント基板２６に連結する。プリント基板２６にもリード線用コネクタ２４を半田付けして固定している。
(3)  図５の矢印で示すように、凹部２３にコネクタ本体２を入れるように、第１ホルダ４Ａをコネクタ本体２に連結する。この状態で、第１ホルダ４Ａの係止フック１８がコネクタ本体２の嵌合連結部５に係止される。また、支持部１６は、コネクタ本体２の連結台８に設けている支持リブ１５の下面に配置される。
(4)  その後、矢印で示すように、第１ホルダ４Ａの凹部２３に第２ホルダ４Ｂを挿入する。この状態で、第２ホルダ４Ｂは、係止フック１９の先端を、第１ホルダ４Ａのガイドリブ２１に係止して、第１ホルダ４Ａに連結される。さらに、第２ホルダ４Ｂの支持部２２は、連結台８の支持リブ１５の下に配置されて、支持リブ１５を支持する。
以上の工程で、第１ホルダ４Ａと第２ホルダ４Ｂがコネクタ本体２に連結される。
(5)  第１ホルダ４Ａの連結穴１１にゴム状弾性体の弾性リング１２を入れ、この弾性リング１２に止ネジ１３を挿通して、止ネジ１３でコネクタ１をベース台３に連結する。
【図面の簡単な説明】
【００２９】
【図１】従来のフローティング構造のコネクタに携帯電気機器を連結する状態を示す概略図である。
【図２】従来のフローティング構造のコネクタの他の一例を示す斜視図である。
【図３】本発明の一実施例にかかるフローティング構造のコネクタに携帯電気機器を連結する状態を示す概略図である。
【図４】図３に示すコネクタの斜視図である。
【図５】図４に示すコネクタの分解斜視図である。
【図６】図４に示すコネクタの横断面図である。
【図７】図４に示すコネクタの平面図である。
【図８】第２ホルダの斜視図である。
【符号の説明】
【００３０】
１…コネクタ
２…コネクタ本体
３…ベース台
４…フローティングホルダ  ４Ａ…第１ホルダ        ４Ｂ…第２ホルダ
５…嵌合連結部            ５Ａ…第１面            ５Ｂ…第２面
５Ｃ…第３面            ５Ｄ…第４面
６…接続端子
７…接点
８…連結台
９…金属筒
１０…フローティング機構
１１…連結穴
１２…弾性リング
１３…止ネジ
１４…回路基板
１５…支持リブ            １５Ａ…折曲片
１６…支持部
１７…フック凸条
１８…係止フック
１９…係止フック
２０…ガイドスペース
２１…ガイドリブ
２２…支持部
２３…凹部
２４…リード線用コネクタ
２５…フレキシブル基板
２６…プリント基板
２７…上面部
２９…電源供給台
３０…携帯電気機器
３１…連結部
４０…コネクタ本体
４１…コネクタ
４２…フローティング台
４３…貫通孔
４４…弾性リング
４５…止ネジ
４６…ベース台
４７…フレキシブル基板
４８…プリント基板
４９…回路基板
５１…コネクタ
５２…嵌合連結部
５３…フローティング台
５４…回路基板
【図１】
2006054105.tif 000003
【図２】
2006054105.tif 000004
【図３】
2006054105.tif 000005
【図４】
2006054105.tif 000006
【図５】
2006054105.tif 000007
【図６】
2006054105.tif 000008
【図７】
2006054105.tif 000009
【図８】
2006054105.tif 000010